(57)【要約】【課題】毎週や毎日などのように定期的に放送されたテレビ番組をハードディスクから自動削除する場合、放送の何回か分のテレビ番組をハードディスクに残すことも可能なハードディスク装置を提供する。【解決手段】テレビ番組２１，２２，２３，２４，２５が連続ドラマであり、１回目の放送はテレビ番組２１、２回目の放送はテレビ番組２２、３回目の放送はテレビ番組２３、４回目の放送はテレビ番組２４、５回目の放送はテレビ番組２５であると仮定すると、テレビ番組２１，２２，２３，２４がハードディスクに記録されている状態で、１月２９日（本日）にテレビ番組２５を録画する際、テレビ番組２１が再生済みであれば、テレビ番組２１が削除され、テレビ番組２５がハードディスクに記録される。したがって、テレビ番組２２，２３，２４，２５がハードディスクに新たに残るテレビ番組になる。【選択図】図２
2009021911.tif 000002
【特許請求の範囲】
【請求項１】
ハードディスクに対してテレビ番組やその他の情報を記録したり、ハードディスクに記録されたテレビ番組やその他の情報を再生したりするハードディスク装置において、
毎週や毎日などの定期的なテレビ番組を録画予約する際に、以前に録画された定期的なテレビ番組のうちの放送の何回か分のテレビ番組を残して他は削除するかを決める削除情報を含む予約情報をメモリに登録する予約情報登録手段と、
前記定期的なテレビ番組の録画開始時刻になったとき、前記削除情報から得られた残す放送回数分の番組数と現在ハードディスクに残っている放送回数分の番組数とが同じであるか否かを判定する番組数判定手段と、
前記残す放送回数分の番組数と前記現在ハードディスクに残っている放送回数分の番組数とが同じであると判定されたとき、前記削除情報およびハードディスクの残容量に基づいて古いテレビ番組から順次削除する削除手段と、
前記残す放送回数分の番組数が前記現在ハードディスクに残っている放送回数分の番組数よりも多いと判定されたとき、または前記古いテレビ番組が削除された後、前記録画予約のテレビ番組の録画を行う録画制御手段と、を備えたことを特徴とするハードディスク装置。
【請求項２】
前記ハードディスクに録画されたテレビ番組の再生が終了したとき、当該テレビ番組の再生が終了したことを示す再生済情報を番組名に対応させてメモリに記憶させる再生済情報記憶手段を備え、前記削除手段は、古いテレビ番組のうちで再生済みのテレビ番組を優先的に削除する場合には、当該番組名に対応した再生済情報が前記メモリに有るか否かを判定し、再生済情報が有ると判定し、古いテレビ番組から順次削除するときに、再生済みのテレビ番組を優先的に削除することを特徴とする請求項１に記載のハードディスク装置。
【請求項３】
前記削除情報は、ハードディスクの残容量に応じて削除するテレビ番組の個数を複数段階に設定する削除個数設定情報を含むことを特徴とする請求項１に記載のハードディスク装置。
【発明の詳細な説明】
【技術分野】
【０００１】
本発明は、ハードディスクに対してテレビ番組やその他の情報を記録したり、ハードディスクに記録されたテレビ番組やその他の情報を再生したりするハードディスク装置に関し、特に、ハードディスクに記録された情報を自動削除する機能に関する。
【背景技術】
【０００２】
近年、映像情報および音声情報のデジタル化および、そのデータの圧縮技術の目覚しい発達により、磁気テープであるビデオカセットテープに対して映像音声情報を記録／再生するＶＣＲ（ビデオカセットレコーダ）に代わり、光ディスクであるＤＶＤ（デジタルバーサタイルディスク）に対して映像音声情報を記録／再生する光ディスク記録再生装置（ＤＶＤレコーダ）や、ハードディスクに対して映像音声情報を記録／再生するハードディスク装置（ハードディスクレコーダ）が普及している。
【０００３】
ところで、ＤＶＤは、ディスク１枚当たり約４．７ＧＢ程度の容量になるがハードディスクは、８０ＧＢから数百ＧＢの容量を持っているので、ハードディスクは、テレビ番組のような長時間の情報を記録するのに適している。したがって、テレビ番組を記録するのに、ハードディスク装置が用いられることが多い。
【０００４】
ハードディスク装置を用いてテレビ番組が記録されるが、テレビ番組としては、ドラマ番組やトーク番組あるいはニュース番組などが有る。ドラマ番組は、１回切のものや、毎週決まった曜日に放送され、放送期間が１ヶ月〜１２ヶ月のものがある。また、トーク番組は、１回切りのものや、毎週決まった曜日に放送され、放送期間は未定で何年も続いているものもある。また、ニュース番組は、月曜日から金曜日まで同じ時間帯に放送されるものや、土曜日の同じ時間帯に放送されるものや、日曜日の同じ時間帯に放送されるものなどが有る。
【０００５】
このようなテレビ番組を記録するために、ハードディスク装置に対して記録予約（録画予約）を行う場合、１回切りの番組については、チャンネルと放送日時を指定して、当日の記録開始時刻になれば、記録を開始させ、記録終了時刻になれば、記録を終了させるようにする１回の記録予約を行い、また、毎週や毎日などのように定期的に放送される番組については、チャンネルと放送曜日と記録開始時刻と記録終了時刻を指定して、指定曜日に記録開始時刻になれば、記録を開始させ、記録終了時刻になれば、記録を終了させるようにする周期的記録予約を行っている。
【特許文献１】特開２００６−１９７３４７号公報
【特許文献２】特開２００６−１８９５８号公報
【特許文献３】特開２００５−１８４２８２号公報
【発明の開示】
【発明が解決しようとする課題】
【０００６】
そして、従来のハードディスク装置においては、毎週や毎日などのように定期的に放送されるテレビ番組を記録するような周期的記録予約により所望のテレビ番組をハードディスクに溜め撮りすることが多くなり、ハードディスクに記録されたテレビ番組を視聴していないのに、いつの間にかにハードディスクの空き残量が残り少なくなってしまっていると言うことが良くあり、その場合、例えば、ハードディスクに記録されているテレビ番組をＤＶＤにダビングして、ハードディスクに記録されている元のテレビ番組を削除して、ハードディスクの空き残量を増加させたりし、また、ＤＶＤが無い場合や、ダビングしてまで視聴するようなテレビ番組（ニュース番組など）でない場合は、そのテレビ番組を削除して、ハードディスクの空き残量を増加させたりしている。
【０００７】
ところで、毎週や毎日などのように定期的に放送されたテレビ番組をハードディスクから自動削除する場合、放送の何回か分のテレビ番組をハードディスクに残し、残り再生済みで古いテレビ番組を何個か自動削除したい場合があるが、従来のハードディスク装置では、そのような自動削除を行う機能を有していないので、そのような自動削除を望むユーザには対処できないと言う課題があった。
【０００８】
なお、特許文献１の従来技術では、シリーズ予約を行う際に、ＤＶＤに１枚ダビングが終了後、ハードディスクに記録されたダビング済みの情報を削除するか、全シリーズ録画終了後にダビング済みの情報を削除するかなどを設定するようにしているが、ダビングを行う際のユーザ操作が必要であるので、ハードディスクの情報を自動的に削除できるものではなく、また、前記のような課題を解決できるものではない。
【０００９】
特許文献２の従来技術では、ディスク記録媒体に予約消去の動作設定を書き込んでおくことで、その設定条件に従って以前に録画したコンテンツデータの消去を自動的に行うようにしている。また、予約消去手段の設定条件としてディスク記録媒体の残り容量が足りなくなったとき、再生済みのコンテンツデータがあるとき、毎週、毎日、月曜日から金曜日、月曜日から土曜日のような設定条件を選択可能にしている。しかし、この従来技術では、毎週や毎日などのように定期的に放送されたテレビ番組をハードディスクから自動削除する場合、放送の何回か分のテレビ番組をハードディスクに残すような処理については開示されていないので、前記のような課題を解決できるものではない。
【００１０】
特許文献３の従来技術では、記録媒体の空き容量が所定値を下回ったときに、再生が終了した放送番組に含まれる番組内容本体部分を削除して空き容量を増すようにしているが、毎週や毎日などのように定期的に放送されたテレビ番組をハードディスクから自動削除する場合、放送の何回か分のテレビ番組をハードディスクに残すような処理については開示されていないので、前記のような課題を解決できるものではない。
【００１１】
本発明は、上記のような課題を解決するためになされたもので、毎週や毎日などのように定期的に放送されたテレビ番組をハードディスクから自動削除する場合、放送の何回か分のテレビ番組をハードディスクに残すことも可能なハードディスク装置を提供することを目的とする。
【課題を解決するための手段】
【００１２】
上記目的を達成するために、請求項１の発明は、毎週や毎日などの定期的なテレビ番組を録画予約する際に、以前に録画された定期的なテレビ番組のうちの放送の何回か分のテレビ番組を残して他は削除するかを決める削除情報を含む予約情報をメモリに登録する予約情報登録手段と、前記定期的なテレビ番組の録画開始時刻になったとき、前記削除情報から得られた残す放送回数分の番組数と現在ハードディスクに残っている放送回数分の番組数とが同じであるか否かを判定する番組数判定手段と、前記残す放送回数分の番組数と前記現在ハードディスクに残っている放送回数分の番組数とが同じであると判定されたとき、前記削除情報およびハードディスクの残容量に基づいて古いテレビ番組から順次削除する削除手段と、前記残す放送回数分の番組数が前記現在ハードディスクに残っている放送回数分の番組数よりも多いと判定されたとき、または前記古いテレビ番組が削除された後、前記録画予約のテレビ番組の録画を行う録画制御手段とを備えたことを特徴とするハードディスク装置を提供する。
【００１３】
この構成において、毎週や毎日などの定期的なテレビ番組を録画予約する際に、以前に録画された定期的なテレビ番組のうちの放送の何回か分のテレビ番組を残して他は削除するかを決める削除情報を含む予約情報がメモリに登録される。前記定期的なテレビ番組の録画開始時刻になったとき、前記削除情報から得られた残す放送回数分の番組数と現在ハードディスクに残っている放送回数分の番組数とが同じであるか否かが判定され、前記残す放送回数分の番組数と前記現在ハードディスクに残っている放送回数分の番組数とが同じであると判定されたとき、前記削除情報およびハードディスクの残容量に基づいて古いテレビ番組から順次削除される。前記残す放送回数分の番組数が前記現在ハードディスクに残っている放送回数分の番組数よりも多いと判定されたとき、または前記古いテレビ番組が削除された後、前記録画予約のテレビ番組の録画が行われる。
【００１４】
この構成によれば、毎週や毎日などのように定期的に放送されたテレビ番組をハードディスクから自動削除する場合、放送の何回か分のテレビ番組をハードディスクに残すこともできるので、例えば、定期的に放送された連続ドラマをハードディスクに録画した場合、放送の何回か分のドラマが残されるので、今回録画したドラマの前回などはどのような内容であったかを確認することができ、連続ドラマをより良く楽しむことができる。また、結果的には、毎週や毎日などのように定期的に放送されたテレビ番組がハードディスクから自動削除されることになるので、いざ録画したいときにハードディスクの残容量が無くなると言うようなことがなくなる。また、例えば、ニュースを録画していた場合、数日も経てば一般家庭では意味をなさないが、わざわざユーザがニュースを削除する作業をしなくても、自動的に削除されるので、利便性が向上する。
【００１５】
請求項２の発明では、請求項１の発明において、前記ハードディスクに録画されたテレビ番組の再生が終了したとき、当該テレビ番組の再生が終了したことを示す再生済情報を番組名に対応させてメモリに記憶させる再生済情報記憶手段を備え、前記削除手段は、古いテレビ番組のうちで再生済みのテレビ番組を優先的に削除する場合には、当該番組名に対応した再生済情報が前記メモリに有るか否かを判定し、再生済情報が有ると判定し、古いテレビ番組から順次削除するときに、再生済みのテレビ番組を優先的に削除するので、前記ハードディスクに録画された古いテレビ番組のうちで再生済みのテレビ番組が検索されて優先的に削除することが可能になる。
【００１６】
請求項３の発明では、請求項１の発明において、前記削除情報は、ハードディスクの残容量に応じて削除するテレビ番組の個数を複数段階に設定する削除個数設定情報を含むので、ハードディスクの残容量が多い場合には、削除されるテレビ番組の個数を少なくでき、ハードディスクの残容量が少ない場合には、削除されるテレビ番組の個数を多くできる。これにより、ハードディスクは、常に適切な空き容量を確保することが可能になる。
【発明の効果】
【００１７】
以上のように本発明によれば、毎週や毎日などのように定期的に放送されたテレビ番組をハードディスクから自動削除する場合、放送の何回か分のテレビ番組をハードディスクに残すこともできるので、例えば、定期的に放送された連続ドラマをハードディスクに録画した場合、放送の何回か分のドラマが残されるので、今回録画したドラマの前回などはどのような内容であったかを確認することができ、連続ドラマをより良く楽しむことができる。また、結果的には、毎週や毎日などのように定期的に放送されたテレビ番組がハードディスクから自動削除されることになるので、いざ録画したいときにハードディスクの残容量が無くなると言うようなことがなくなる。例えば、ニュースを録画していた場合、数日も経てば一般家庭では意味をなさないが、わざわざユーザがニュースを削除する作業をしなくても、自動的に削除されるので、利便性が向上する。
【発明を実施するための最良の形態】
【００１８】
以下、添付図面を参照しつつ、本発明の実施の形態について説明する。図１は本発明の一実施形態に係るハードディスク装置の構成を示すブロック図である。
【００１９】
図１において、ハードディスク装置Ａは、アンテナ１ａを介してテレビ放送信号を受信して所望の放送局のテレビ放送信号を選局するチューナ１、このチューナ１からの映像音声信号を復調する復調部２、外部から入力されてくる映像音声信号を復調する復調部３、復調部２または復調部３で復調された映像音声信号をＭＰＥＧ方式で圧縮処理する圧縮処理部４、前記圧縮処理された映像音声データをＨＤ（ハードディスク）５ａに書き込んだりＨＤ５ａに記録された映像音声データを読み出したりするＨＤＤ（ハードディスクドライブ）５、およびＨＤＤ５によりＨＤ５ａから読み出した映像音声データを元の映像音声データにデコードするデコーダ部６を備えている。
【００２０】
また、このハードディスク装置Ａは、前記デコードした映像音声データのうち映像データ（システムコントローラ１０からのタイトルリスト画面のデータやメッセージデータなどがある場合はタイトルリスト画面のデータやメッセージデータなどを重畳した映像データ）を表示可能な映像信号に変換してテレビ受信機８のディスプレイ装置８１に供給するＯＳＤ（オンスクリーンディスプレイ）部７、デコーダ部６で復元した映像音声データのうち音声データをデジタル信号からアナログ信号に変換してテレビ受信機８のスピーカ８３に接続された音声出力装置８２に音声信号を供給するＤ／Ａ変換部９、圧縮処理部４による圧縮処理時やデコーダ部６によるデコード処理時（伸張処理時）に映像音声データを一時的に格納するＲＡＭ１５、装置全体の動作を制御するシステムコントローラ１０、このシステムコントローラ１０に各種キー操作信号を入力する本体のキー入力部１１、リモコン１３からの赤外線の各種キー操作信号を受信するキー受信部１２、およびシステムコントローラ１０の処理に必要なプログラムやデータなどが記録されたフラッシュＲＯＭ１４を備えている。
【００２１】
システムコントローラ１０は、本実施形態の特徴とする構成要素として、毎週や毎日などの定期的なテレビ番組を録画予約する際に、以前に録画された定期的なテレビ番組のうちの放送の何回か分のテレビ番組を残して他は削除するかを決める削除情報を含む予約情報をフラッシュＲＯＭ１４に登録する予約情報登録手段と、前記定期的なテレビ番組の録画開始時刻になったとき、前記削除情報から得られた残す放送回数分の番組数と現在ＨＤ５ａに残っている放送回数分の番組数とが同じであるか否かを判定する番組数判定手段と、前記残す放送回数分の番組数と前記現在ＨＤ５ａに残っている放送回数分の番組数とが同じであると判定されたとき、前記削除情報およびＨＤ５ａの残容量に基づいて古いテレビ番組から順次削除する削除手段と、前記残す放送回数分の番組数が前記現在ＨＤ５ａに残っている放送回数分の番組数よりも多いと判定されたとき、または前記古いテレビ番組が削除された後、前記録画予約のテレビ番組の録画を行う録画制御手段と、ＨＤ５ａに録画されたテレビ番組の再生が終了したとき、当該テレビ番組の再生が終了したことを示す再生済情報を番組名に対応させてフラッシュＲＯＭ１４に記憶させる再生済情報記憶手段を備えている。前記削除手段は、古いテレビ番組のうちで再生済みのテレビ番組を優先的に削除する場合には、当該番組名に対応した再生済情報がフラッシュＲＯＭ１４に有るか否かを判定し、再生済情報が有ると判定し、古いテレビ番組から順次削除するときに、再生済みのテレビ番組を優先的に削除する。
【００２２】
図２は本実施形態においてハードディスクに記録されている連続もののテレビ番組を削除する場合の処理を説明するための図である。
【００２３】
図２（１）において、２１は録画日が１月１日で今現在ハードディスクに記録されているテレビ番組（タイトル）、２２は録画日が１月８日で今現在ハードディスクに記録されているテレビ番組（タイトル）、２３は録画日が１月１５日で今現在ハードディスクに記録されているテレビ番組（タイトル）、２４は録画日が１月２２日で今現在ハードディスクに記録されているテレビ番組（タイトル）を示す。２５は未だ録画されていないテレビ番組（タイトル）であり、例えば、本日が１月２９日であると仮定すると、本日録画予定になっているテレビ番組（タイトル）であることを示す。
【００２４】
これらのテレビ番組（タイトル）２１，２２，２３，２４，２５は、例えば、毎週決まった曜日に放送される連続ドラマであるとすると、１回目の放送はテレビ番組（タイトル）２１、２回目の放送はテレビ番組（タイトル）２２、３回目の放送はテレビ番組（タイトル）２３、４回目の放送はテレビ番組（タイトル）２４、５回目の放送はテレビ番組（タイトル）２５になっている。
【００２５】
テレビ番組（タイトル）２１，２２，２３，２４がハードディスクに記録されている状態で、１月２９日（本日）にテレビ番組（タイトル）２５を録画する際、ハードディスクの残容量を所定量確保するため、１回目の放送のテレビ番組（タイトル）２１が再生済みであれば、図２（２）に示すように、テレビ番組（タイトル）２１が削除され、テレビ番組（タイトル）２５がハードディスクに記録される。したがって、図２（２）に示すように、テレビ番組（タイトル）２２，２３，２４，２５がハードディスクに新たに残るテレビ番組（タイトル）になる。
【００２６】
図３は本実施形態において毎週や毎日などのように定期的に放送されるテレビ番組を録画予約してから録画終了するまでの間に行われる削除処理を説明するためのフローチャートである。このフローチャートおよび図１、図２を参照して、定期的に放送されるテレビ番組を録画予約してから録画終了するまでの間に行われる削除処理について説明する。
【００２７】
ハードディスク装置Ａに電源が投入され、ハードディスク装置Ａが立ち上がった後、リモコン１３の録画予約に関する所定の操作が行われると、システムコントローラ１０は、録画予約の操作がされたことを検出し（ステップＳ１）、これにより、テレビ受信機８のディスプレイ装置８１に録画予約画面を表示させる（ステップＳ２）。
【００２８】
ここで、ユーザは録画予約画面を見ながらリモコン１３を操作して、録画予約画面に予約情報を入力する。この入力される予約情報としては、録画したいテレビ番組が放送されるチャンネル番号、録画日、録画開始時刻、録画終了時刻、および録画モードなどの各情報があり、更に本実施形態では、録画予約する際に、以前に録画された定期的なテレビ番組のうち放送の何回か分のテレビ番組を残して他は削除するかを決める削除情報を予約情報に含めてフラッシュＲＯＭ１４に登録しておく。以下、ＨＤ５ａに録画されたテレビ番組や、録画されるテレビ番組のことをタイトルと呼ぶことにする。
【００２９】
前記削除情報としては、例えば、ＨＤ５ａの残容量が２０％を超えている場合には再生済みのうちで最も古いタイトルを削除するように設定する第１削除個数設定情報と、例えば、ＨＤ５ａの残容量が２０％以下で１０％超える場合には再生済みのうちで古いタイトルを２個削除するように設定する第２削除個数設定情報と、例えば、ＨＤ５ａの残容量が１０％以下である場合には再生済みのうちで古いタイトルを３個削除するように設定する第３削除個数設定情報とを有する。これらの第１，第２，第３削除個数設定情報の何れかは、ユーザのリモコン１３の操作により自由に選ぶことができる。
【００３０】
このような削除情報を含む予約情報が入力されると、システムコントローラ１０の予約情報登録手段は、予約情報が入力されたことを検出し（ステップＳ３）、その予約情報をフラッシュＲＯＭ１４に登録する（ステップＳ４）。以上の処理により、録画したい定期的に放送されるテレビ番組に対する録画予約の設定が完了する。
【００３１】
そして、システムコントローラ１０は、図示いないタイマで計時されている現在時刻が予約情報に含まれる録画予定日の録画開始時刻になったことを検出すると（ステップＳ５）、システムコントローラ１０の番組数判定手段は、フラッシュＲＯＭ１４に記憶されている前記削除情報により得られた残す放送回数分の番組数Ｎと現在ＨＤ５ａに残っている放送回数分の番組数Ｍとが同じであるか否かを判定する（ステップＳ６）。
【００３２】
例えば、前記削除情報により得られた残す放送回数分の番組数Ｎが４であり、また、図２（１）に示すように、現在残っている放送回数分の番組数Ｍが４である場合は、Ｎ＝Ｍであるので、システムコントローラ１０の削除手段は、前記削除情報およびＨＤ５ａの残容量に基づいて再生済みで古い番組から優先的に削除する。
【００３３】
前記削除情報において、例えば、ＨＤ５ａの残容量が２０％を超えている場合には再生済みのうちで最も古いタイトルを削除するように第１削除個数設定情報が設定されている場合、システムコントローラ１０の削除手段は、ＨＤ５ａのディスク管理情報を参照して残容量が２０％を超えると判定したとき（ステップＳ７）、再生済みのうちで最も古いタイトルを削除する（ステップＳ８）。
【００３４】
再生済みのうちで最も古いタイトルを削除する際の処理は、当該タイトルの再生終了時に、システムコントローラ１０の再生済情報記憶手段によりフラッシュＲＯＭ１４に当該タイトル名に対応させて記憶した再生済情報を参照することにより、再生済みのタイトルを検索し、この検索された再生済みのタイトルから録画日の最も古いタイトルを見付け出し、その最も古いタイトルを削除する。したがって、例えば、図２に示す例では、テレビ番組（タイトル）２１が再生済みのタイトルであれば、録画日が１月１日で最も古いので、テレビ番組（タイトル）２１が削除されることになる。
【００３５】
この後、システムコントローラ１０の録画制御手段は、前記最も古いタイトルが削除された後、録画予約されたタイトルの録画を開始し（ステップＳ１４）、そのタイトルに対する録画終了時刻が来れば、録画が終了し（ステップＳ１５）、本処理は終了する。例えば、図２に示す例では、テレビ番組（タイトル）２１が削除された後、テレビ番組（タイトル）２５に対する録画が行われる。この結果、テレビ番組（タイトル）２２，２３，２４，２５がＨＤ５ａに新たに残るテレビ番組（タイトル）になる。即ち、定期的に放送されたテレビ番組が、４回の放送分ＨＤ５ａに残されることになる。
【００３６】
また、ステップＳ６において、Ｎ＝Ｍであると判定された場合で、且つ、前記削除情報において、例えば、ＨＤ５ａの残容量が２０％以下で１０％を超えている場合に、再生済みのうちで古いタイトルを２個削除するように第２削除個数設定情報に設定されている場合には、システムコントローラ１０の削除手段は、ＨＤ５ａのディスク管理情報を参照して残容量が２０％以下で１０％を超えると判定したとき（ステップＳ９）、再生済みのうちで古いタイトルを２個削除する（ステップＳ１０）。ただし、タイトルを２個削除する場合は、ユーザに確認させるために、例えば「タイトルを２個削除して３個タイトルを残しますが、宜しいですか？」などのメッセージをディスプレイ装置８１に表示させるようにしても良い。
【００３７】
再生済みのうちで古いタイトルを２個削除する際の処理は、当該タイトルの再生終了時にフラッシュＲＯＭ１４に当該タイトル名に対応させて記憶した再生済情報を参照することにより、再生済みのタイトルを検索し、この検索された再生済みのタイトルから録画日の古いタイトルを２個見付け出し、古いタイトル順から古いタイトルを２個削除する。
【００３８】
この後、システムコントローラ１０の録画制御手段は、前記古いタイトルが２個削除された後、録画予約されたタイトルの録画を開始し（ステップＳ１４）、そのタイトルに対する録画終了時刻が来れば、録画が終了し（ステップＳ１５）、本処理は終了する。例えば、図２に示す例では、テレビ番組（タイトル）２１，２２が削除された後、テレビ番組（タイトル）２５に対する録画が行われる。この結果、テレビ番組（タイトル）２３，２４，２５がＨＤ５ａに新たに残るテレビ番組（タイトル）になり、タイトルを１個削除した場合に比べ、ＨＤ５ａの残容量を増やすことができる。また、定期的に放送されたテレビ番組が、３回の放送分ＨＤ５ａに残されることになる。
【００３９】
また、ステップＳ６において、Ｎ＝Ｍであると判定された場合で、且つ、削除情報において、例えば、ＨＤ５ａの残容量が１０％以下である場合に、再生済みのうちで古いタイトルを３個削除するように第３削除個数設定情報が設定されている場合には、システムコントローラ１０の削除手段は、ＨＤ５ａのディスク管理情報を参照して残容量が１０％以下であると判定したとき（ステップＳ１１）、再生済みのうちで古いタイトルを３個削除する（ステップＳ１２）。ただし、タイトルを３個削除する場合は、ユーザに確認させるために、例えば「タイトルを３個削除して２個タイトルを残しますが、宜しいですか？」などのメッセージをディスプレイ装置８１に表示させるようにしても良い。
【００４０】
再生済みのうちで古いタイトルを３個削除する際の処理は、当該タイトルの再生終了時にフラッシュＲＯＭ１４に当該タイトル名に対応させて記憶した再生済情報を参照することにより、再生済みのタイトルを検索し、この検索された再生済みのタイトルから録画日の古いタイトルを古いタイトル順から３個見付け出し、その古いタイトルを３個削除する。
【００４１】
この後、システムコントローラ１０の録画制御手段は、前記古いタイトルが３個削除された後、録画予約されたタイトルの録画を開始し（ステップＳ１４）、そのタイトルに対する録画終了時刻が来れば、録画が終了し（ステップＳ１５）、本処理は終了する。例えば、図２に示す例では、テレビ番組（タイトル）２１，２２，２３が削除された後、テレビ番組（タイトル）２５に対する録画が行われる。この結果、テレビ番組（タイトル）２４，２５がＨＤ５ａに新たに残るテレビ番組（タイトル）になり、タイトルを２個削除した場合に比べ、ＨＤ５ａの残容量を増やすことができる。
【００４２】
一方、ステップＳ６において、Ｎ＝Ｍでないと判定され、且つ、残す放送回数分の番組数Ｎが現在残っている放送回数分の番組数Ｍよりも多いと判定されたときは（ステップＳ１３）、システムコントローラ１０は、ＨＤ５ａに録画されているタイトルを消去せずに、録画予約されたタイトルの録画を開始し（ステップＳ１４）、そのタイトルに対する録画終了時刻が来れば、録画が終了し（ステップＳ１５）、本処理は終了する。
【００４３】
図４は本実施形態においてタイトルを再生させる場合の処理を説明するためのフローチャートである。このフローチャートおよび図１を参照してタイトルを再生させる場合の処理について説明する。
【００４４】
先ず、ユーザは、再生させたいタイトルを選択するため、リモコン１３の再生リストキーを押下すると、システムコントローラ１０は、再生リスト表示指示があったことを検出し（ステップＮ１）、ＨＤ５ａから再生リストデータを、ＨＤＤ５を介して読み出し、デコーダ部６およびＯＳＤ７の処理を経て、再生リスト画面信号としてテレビ受信機８のディスプレイ装置８１に供給し、これにより、ディスプレイ装置８１に再生リスト画面を表示させる（ステップＮ２）。
【００４５】
そして、ユーザは、ディスプレイ装置８１に表示された再生リスト画面を見て、再生させたいタイトルをリモコン１３の操作により指定すると、システムコントローラ１０は、再生させたいタイトルが指定されたことを検出し（ステップＮ３）、再生リスト画面を消去し（ステップＮ４）、そのタイトルの再生を開始させる（ステップＮ５）。そして、そのタイトルの再生が終了すると（ステップＮ６）、システムコントローラ１０の再生済情報記憶手段は、そのタイトルの再生が終了したことを示す再生済情報をタイトル名に対応させてフラッシュＲＯＭ１４に記憶する（ステップＮ７）。その再生済情報は、図３に示すフローチャートのステップＳ８，Ｓ１０，Ｓ１２の処理において再生済みのタイトルを検索するのに用いられる。
【００４６】
以上説明したように本実施形態によれば、毎週や毎日などのように定期的に放送されたテレビ番組をＨＤ５ａから自動削除する場合、放送の何回か分のテレビ番組をＨＤ５ａに残すこともできるので、例えば、定期的に放送された連続ドラマをハードディスクに録画した場合、放送の何回か分のドラマが残されるので、今回録画したドラマの前回などはどのような内容であったかを確認することができ、連続ドラマをより良く楽しむことができる。また、結果的には、毎週や毎日などのように定期的に放送されたテレビ番組がＨＤ５ａから自動削除されることになるので、いざ録画したいときにＨＤ５ａの残容量が無くなると言うようなことがなくなる。例えば、ニュースを録画していた場合、数日も経てば一般家庭では意味をなさないが、わざわざユーザがニュースを削除する作業をしなくても、自動的に削除されるので、利便性が向上する。
【産業上の利用可能性】
【００４７】
本発明は、ハードディスク装置におけるタイトル自動削除機能に用いることが可能であり、特に、毎週や毎日のなどのように定期的なテレビ番組を録画した場合に、古いテレビ番組から順に自動削除でき、しかも、ユーザが希望する放送回数分のテレビ番組を残せるようにすることができる。
【図面の簡単な説明】
【００４８】
【図１】本発明の一実施形態に係るハードディスク装置の構成を示すブロック図である。
【図２】前記実施形態においてハードディスクに記録されている連続もののテレビ番組を削除する場合の処理を説明するための図である。
【図３】前記実施形態において毎週や毎日などのように定期的に放送されるテレビ番組を録画予約してから録画終了するまでの間に行われる削除処理を説明するためのフローチャートである。
【図４】前記実施形態においてタイトルを再生させる場合の処理を説明するためのフローチャートである。
【符号の説明】
【００４９】
Ａ    ハードディスク装置
５ａ    ハードディスク
１０    システムコントローラ（予約情報登録手段、番組数判定手段、削除手段、録画制御手段、再生済情報記憶手段）
１４    フラッシュＲＯＭ（メモリ）
【図１】
2009021911.tif 000003
【図２】
2009021911.tif 000004
【図３】
2009021911.tif 000005
【図４】
2009021911.tif 000006